(57)【要約】      （修正有）【課題】高い断熱効果を有すると同時に、必要な部分に有効な放冷（放熱を含む）ができ、温度の微調整ができ、保冷剤または保温材の有効利用ができる断熱カバー、を提供する。【解決手段】少なくとも表部・裏部一体の断熱カバー本体と補助断熱板９とからなる断熱カバーであって、断熱カバー本体は表部に切欠き部を有し、補助断熱板は切欠き部に着脱可能に篏合し、かつ１個以上の熱交換孔１０を有する。【選択図】図４
0003228688.tif 000002
【実用新案登録請求の範囲】
【請求項１】
少なくとも表部・裏部一体の断熱カバー本体と補助断熱板とから成る断熱カバーであって、前記断熱カバー本体は平袋状であり表部に切欠き部を有し、前記補助断熱板は、前記切欠き部に着脱可能に篏合しかつ１個以上の熱交換孔を有することを特徴とする断熱カバー。
【考案の詳細な説明】
【技術分野】
【０００１】    本考案は断熱カバーに関する。特に、例えば保冷剤を表側の必要部分のみに有効に作用させる断熱カバーに関する。
【背景技術】
【０００２】  保冷剤を人体の一部に、例えば枕として使用する場合、保冷剤を布等で被覆して冷え過ぎや結露を緩和して使用していた。しかし、使用の度に布などを替えることが必要であった。これを是正するため保冷剤の収納部を有する断熱カバーが現れた。
従来の断熱カバーは表裏や部分に関係なく全体を均一に遮熱するものであるため、完全な断熱はできなかった。例えば後頭部冷却を目的として枕等に使用した場合、冷却不要部からも放冷があり保冷剤を有効に使用していなかった。（例えば特許文献１）
【先行技術文献】
【特許文献】
【０００３】
【特許文献１】特許出願公開番号、特開２０１５−２４０９９
【考案の概要】
【考案が解決しようとする課題】
【０００４】  特許文献１は枕カバーの結露水を解消するためのもので、カバー全面から放冷があり、片面のしかも必要部分のみの放冷は出来ず、放冷剤を有効に使用していなかった。また、虫に刺された時のように、局所的に狭い範囲を冷却することはできなかった。冷却温度の微調整も難しかった。
本考案は完全に近い断熱機能を有する断熱材を使用して、特定の必要部分に有効な放熱あ（冷却を含む）ができ、温度の微調整ができ、保冷剤（保温剤を含む）の持続時間を長くし有効利用ができる断熱カバーを提供することを課題とする。
【課題を解決するための手段】
【０００５】  本考案は、少なくとも、表部・裏部一体の断熱カバー本体と補助断熱板とから成る断熱カバーであって、前記断熱カバー本体は表部に切欠き部を有し、前記補助断熱板は前記切欠き部に着脱可能に篏合しかつ１個以上の熱交換孔を有する断熱カバーである。（請求項１）【０００６】  前記断熱カバー本体は袋状の断熱カバーである。【０００７】  本考案は保冷剤を収納するための断熱カバー本体と、補助断熱板を組み合わせて使うことにより効果を発揮するものである。断熱カバー本体の表部には切欠き部を設ける。補助断熱版の寸法は前記切欠き部に篏合する寸法とする。補助断熱板は熱交換孔の形状・数が異なり、開口面積も異なるものを複数種類用意しておくと便利である。【０００８】  保冷剤で人体の一部を冷やす場合、保冷剤をカバーで被覆することがよく行われる。この場合、カバーの断熱性が十分であると冷却効果が得られないので、断熱性が不完全な断熱材を使用する。従って、全面から放冷され冷却持続時間は短い。また、特定の狭い範囲に限定して冷却することは出来ない。本考案の断熱カバーを使用するに当たっては、断熱カバーで保冷対象物を被覆すればよいが、外部を部分的に冷却したい場合は切欠き部の形状を変える必要があり、用途毎に切欠き部の形状が異なる断熱カバー本体を複数用意しなければをならない。本考案の補助断熱板を併用すればこのような問題は解決される。使用目的と補助断熱板の熱交換孔の形状・個数・合計面積などを勘案して最適の補助断熱板を選ぶことができる。【０００９】  このように断熱カバー本体と補助断熱板とを組み合わせて使うことによって、補助断熱板の熱交換孔を通して熱交換が行われるが、補助断熱板の熱交換孔の面積により熱交換の量が異なり、熱交換孔の面積が小さいほど、冷却する範囲が小さくなる。また、断熱カバーの上面を布などで覆って温度を調節することもできる。【００１０】  例えば、夏にマスクを使用するとマスク内は熱と湿気がこもり、不快感があり、あせもや湿疹などを誘発する恐れがある。そこで、マスクに保冷剤を使用すると冷え過ぎて別の意味で不快感が生じる。このような場合、本考案の補助断熱板を備えた断熱カバーを使用すれば適度の温度でマスクを使用でき、熱交換孔の面積を小さくすることにより熱交換量が少ない分だけ長時間使用することができる。
【考案の効果】
【００１１】  本考案の断熱カバーは、必要な部分には有効な冷却（放熱を含む）ができ、他の部分には完全に近い断熱機能を持たせることができるので、保冷剤（保温材を含む）の有効利用ができる。
更に保冷剤の一面の一部しか使わないので保冷剤が長時間使えるので経済的である。
本考案は冷却面積を必要に応じて適宜変更できるので、冷却剤を無駄なく使用できしかも冷却効果が長続きする。
例えば夏季に枕として後頭部を冷やす場合は、後頭部に接する部分のみに補助断熱板の熱交換孔が当たるようにすれば良い。
腕を虫に刺された場合、刺された周辺だけを冷却すればよいので、保冷剤全体を使うことなく長時間使用できる。
【図面の簡単な説明】
【００１２】
【図１】断熱カバー本体の裏面斜視図
【図２】断熱カバー本体の裏面平面図
【図３】断熱カバー本体の表面平面図
【図４】断熱カバー本体表部の切欠き部に補助断熱板を篏合した平面図
【図５−１】補助断熱板の第２例の平面図
【図５−２】補助断熱板の第３例の平面図
【図５−３】補助断熱板の第４例の平面図
【図５−４】補助断熱板の第５例の平面図
【図６】断熱カバーに保冷剤を入れた断面図
【図７】タオル手拭いの上に試験用保冷剤４個を置いた上面図
【図８】図７にタオル手拭いを載せた保冷実証試験断面図
【考案を実施するための形態】
【００１３】    以下、本考案の実施の形態を図面に基づいて説明する。ただし、本考案の技術的範囲は以下の実施形態に示した具体的な材質、形状、寸法などには限定されない。
【００１４】  図１は断熱カバー本体１の裏面の斜視図である。
図２は断熱カバー本体１の裏面の平面図である。これらの図では蓋部３を有し、蓋部３を折り返して保冷剤１８を収納する構造となっている例を示している。折り返した蓋部３
0003228688.tif 000003
６を付設しても良い。保冷剤の出し入れ口２から保冷剤１８を入れ、蓋部３を折り曲げ線４で折り、接着テープ５と６とを結合して封をする。なお、蓋部の固定には面ファスナー以外のフック、ボタン、マグネットなどを使用しても良い。蓋部３は必須ではなく、必要に応じて付設すればよい。
【００１５】  図３は断熱カバー本体１の表面の平面図である。断熱カバー本体１の表部には切欠き部８が開孔している。切欠き部８は長方形には限らず、必要に応じて円形、楕円形などであってもよい。
【００１６】  図４は切欠き部８に３個の熱交換孔１０を有する補助断熱板９を篏合させた例を示している。補助断熱板９は断熱カバー本体１と同一の材料でもよいし、別の材料でもよい。補助断熱板９が断熱カバー本体１から離脱する恐れがある場合は、適当な方法で断熱カバー本体１に固定すればよい。
【００１７】図５は補助断熱板９の熱交換孔１０の他の事例を示している。熱交換孔１０が１個の例、（図５−１）、３個の例（図５−２）、４個の例（図５−３）、６個の例（図５−４）である。
なお、熱交換孔１０は円形や楕円形の限られず必要に応じて正方形、三角形等々、適宜、種々の形状とすることができる。
【００１８】  本考案の断熱カバーの使用例としては保冷剤１８が代表的であるが、保温材にも使用できる。
断熱カバー本体１および補助断熱板９に使用する断熱材料は断熱機能を有するものであれば特に限定されない。例えば、プラスチック発泡体シート、布、そば殻でもよいが、断熱効果の高いものほどよい。
断熱カバー本体１及び補助断熱板９の形状・寸法（縦、横、厚さ）などは使用する場面に応じて適宜決めればよい。補助断熱板９の熱交換孔１０は接触物体（例えば人体の一部）との熱交換を担うものであり、熱交換孔の面積が大きいほど、接触体を強く冷却し、面積が小さいほど弱く冷却する。従って、種々の熱交換孔１０を有する複数の補助断熱板９を用意しておけば、使用する場面に応じて交換することが出来るので便利である。
【００１９】  例えば、虫刺されの皮膚の狭い範囲を冷却するには、図５−１のような熱交換孔が１個の補助断熱板９を篏合して使用すればよい。
【００２０】  また、夏にマスクを使用する場合、マスク内は熱や湿気がこもり不快であるばかりか、あせもや湿疹を誘発するおそれがあるが、マスクに断熱カバー本体１と程よい補助断熱板９を組み合わせ使用することにより快適に、長時間使用できる効果がある。
【実施例１】
【００２１】  断熱材料として軟質発泡スチロール（厚さ０，７ｍｍ）を使用して、断熱カバーに入れ、凍結した保冷剤の解凍時間を計測した。保冷剤は（株）大創産業社製、（Ｇ０９５、２０ｇ、保冷剤部分５５×５０ｍｍ）を使用。【００２２】  本考案の断熱カバーの効果について下記実証実験を行った。
凍結した保冷剤１８を４個用意して、同時に実施した。３種類の断熱カバーに入った保冷剤１８と断熱カバーなしの保冷剤１８一個の実験は以下のとおり。
Ａ，発泡スチロール１枚使用の断熱カバー、熱交換孔なし  １２
Ｂ、発泡スチロール１枚使用の断熱カバー、熱交換孔２０×２５ｍｍあり  １３
Ｃ，発泡スチロール２枚使用の断熱カバー、熱交換孔２０×２５ｍｍあり  １４
Ｄ，発泡スチロールも断熱カバーも使用せず、保冷剤そのまま  １５
卓上にタオル手拭１２一枚を広げて敷き、上記、Ａ、Ｂ、Ｃ、Ｄを図６のように等間隔に置き、上からタオル手拭１７一枚で覆い、タオル手拭の間に空気の入らないように押さえた。
この状態で１５分毎に保冷剤１８の解凍状況を指で触って、全解凍の時間を記録した。
気温は２７〜２８℃。
１０時３０分  実験開始
１２時００分  Ｄ、保冷剤１５                              全解凍    ９０分
１２時４５分  Ｂ、発泡スチロール１枚使用の断熱カバー１３  全解凍  １３５分
１３時００分  Ａ、発泡スチロール１枚使用の断熱カバー１２  全解凍  １５０分
１３時１５分  Ｃ、発泡スチロール２枚使用の断熱カバー１４  全解凍  １６５分
この結果は凍結した保冷剤１８の状態では同じで、断熱カバーなしは早く溶け、熱交換孔１０があると発泡スチロール１枚で早く溶け、熱交換孔１０がないと解凍が遅く、発泡スチロール１枚と２枚では２枚のほうが解凍が遅いことが数字で分かった。
【符号の説明】
【００２３】  １、断熱カバー本体
２、保冷剤の出し入れ口
３、断熱カバー本体の蓋部
４、断熱カバー本体の蓋部の折り曲げ線
５、接着テープＡ
６、接着テープＢ
７、断熱カバー本体の表部
８、断熱カバー本体の切欠き部
９、補助断熱板
１０、助断熱板の熱交換孔
１１、保冷剤
１２、タオル手拭い（下）
１３、テストＡ  発泡スチロール１枚使用の断熱カバー、熱交換孔なし
１４、テストＢ  発泡スチロール１枚使用の断熱カバー、熱交換孔２０×２５ｍｍあり
１５、テストＣ  発泡スチロール２枚使用の断熱カバー、熱交換孔２０×２５ｍｍあり
１６、テストＤ  断熱カバーなし
１７、タオル手拭い（上）
１８、保冷剤
【図１】
0003228688.tif 000004
【図２】
0003228688.tif 000005
【図３】
0003228688.tif 000006
【図４】
0003228688.tif 000007
【図５−１】
0003228688.tif 000008
【図５−２】
0003228688.tif 000009
【図５−３】
0003228688.tif 000010
【図５−４】
0003228688.tif 000011
【図６】
0003228688.tif 000012
【図７】
0003228688.tif 000013
【図８】
0003228688.tif 000014